(57)【要約】      （修正有）【課題】実用的な閉塞状態保持具を提供する。【解決手段】対向する一対の挟持部２１ａ，２１ｂが開閉自在に設けられたピンセット２１の閉塞状態を保持する閉塞状態保持具１であって、この閉塞状態保持具１は、ピンセット２１の端部が挿入される挿入孔部２を有し、この挿入孔部２の対向内面にして挟持部２１ａ，２１ｂ夫々の外面が当接する当接面２ａ，２ｂ同士の対向間隔は、挟持部２１ａ，２１ｂが被挟持物を挟持した閉塞状態を保持し得る間隔に設定されたものである。【選択図】図５
0003207930.tif 000002
【実用新案登録請求の範囲】
【請求項１】
対向する一対の挟持部が開閉自在に設けられたピンセットの閉塞状態を保持する閉塞状態保持具であって、この閉塞状態保持具は、前記ピンセットの端部が挿入される挿入孔部を有し、この挿入孔部の対向内面にして前記挟持部夫々の外面が当接する当接面同士の対向間隔は、前記挟持部が被挟持物を挟持した閉塞状態を保持し得る間隔に設定されていることを特徴とする閉塞状態保持具。
【請求項２】
対向する一対の挟持部が開閉自在に設けられたピンセットの閉塞状態を保持する閉塞状態保持具であって、この閉塞状態保持具は、前記ピンセットの端部が挿入される挿入孔部を有し、この挿入孔部の対向内面にして前記挟持部夫々の外面が当接する当接面同士の対向間隔は、前記一対の挟持部夫々の厚さと被挟持物の厚さの合計厚さに近似する間隔に設定されていることを特徴とする閉塞状態保持具。
【請求項３】
請求項１，２いずれか１項に記載の閉塞状態保持具において、この閉塞状態保持具の外面には指掛け凹部が設けられていることを特徴とする閉塞状態保持具。
【請求項４】
請求項１〜３いずれか１項に記載の閉塞状態保持具において、この閉塞状態保持具は直方体状であり、前後端面に貫通孔で構成された前記挿入孔部が設けられていることを特徴とする閉塞状態保持具。
【請求項５】
請求項１〜４いずれか１項に記載の閉塞状態保持具において、この閉塞状態保持具は適宜な合成樹脂製の部材を一体成形したものであることを特徴とする閉塞状態保持具。
【考案の詳細な説明】
【技術分野】
【０００１】
本考案は、閉塞状態保持具に関するものである。
【背景技術】
【０００２】
従来から、プラスチックモデルの製作時において小さな部品を扱う際にピンセットが使用されており、例えば、重合接着する部品同士を接着剤を介してピンセットで挟んで重合した状態のまま接着が完了するまで暫くその状態を保持する使い方がある。
【０００３】
しかしながら、部品を挟んで保持する状態（時間）が長いと、ピンセットを摘まむ指が疲れるなど厄介である。
【考案の概要】
【考案が解決しようとする課題】
【０００４】
本考案は、前述した問題点を解消するものであり、従来にない実用的な閉塞状態保持具を提供する。
【課題を解決するための手段】
【０００５】
添付図面を参照して本考案の要旨を説明する。
【０００６】
対向する一対の挟持部21ａ，21ｂが開閉自在に設けられたピンセット21の閉塞状態を保持する閉塞状態保持具１であって、この閉塞状態保持具１は、前記ピンセット21の端部が挿入される挿入孔部２を有し、この挿入孔部２の対向内面にして前記挟持部21ａ，21ｂ夫々の外面が当接する当接面２ａ，２ｂ同士の対向間隔Ｌは、前記挟持部21ａ，21ｂが被挟持物50を挟持した閉塞状態を保持し得る間隔に設定されていることを特徴とする閉塞状態保持具に係るものである。
【０００７】
また、対向する一対の挟持部21ａ，21ｂが開閉自在に設けられたピンセット21の閉塞状態を保持する閉塞状態保持具であって、この閉塞状態保持具１は、前記ピンセット21の端部が挿入される挿入孔部２を有し、この挿入孔部２の対向内面にして前記挟持部21ａ，21ｂ夫々の外面が当接する当接面２ａ，２ｂ同士の対向間隔Ｌは、前記一対の挟持部21ａ，21ｂ夫々の厚さと被挟持物50の厚さの合計厚さに近似する間隔に設定されていることを特徴とする閉塞状態保持具に係るものである。
【０００８】
また、請求項１，２いずれか１項に記載の閉塞状態保持具１において、この閉塞状態保持具１の外面には指掛け凹部３が設けられていることを特徴とする閉塞状態保持具に係るものである。
【０００９】
また、請求項１〜３いずれか１項に記載の閉塞状態保持具１において、この閉塞状態保持具１は直方体状であり、前後端面に貫通孔で構成された前記挿入孔部２が設けられていることを特徴とする閉塞状態保持具に係るものである。
【００１０】
また、請求項１〜４いずれか１項に記載の閉塞状態保持具１において、この閉塞状態保持具１は適宜な合成樹脂製の部材を一体成形したものであることを特徴とする閉塞状態保持具に係るものである。
【考案の効果】
【００１１】
本考案は上述のように構成したから、ピンセットの閉塞状態を簡易且つ確実に保持することができるなど、従来にない非常に実用的な閉塞状態保持具となる。
【図面の簡単な説明】
【００１２】
【図１】本実施例を示す斜視図である。
【図２】本実施例を示す側面図である。
【図３】本実施例を示す平面図である。
【図４】本実施例を示す正面図である。
【図５】本実施例の使用状態説明図である。
【図６】本実施例の使用状態説明図である。
【考案を実施するための形態】
【００１３】
好適と考える本考案の実施形態を、図面に基づいて本考案の作用を示して簡単に説明する。
【００１４】
例えばプラスチックモデルの製作時において、被挟持物50（部品同士）を接着する際など、ピンセット21で挟持した状態を保持したい場合、ピンセット21の挟持部21ａ，21ｂで被挟持物50（部品同士）を挟持し、この状態でピンセット21の基端部を挿入孔部２へ挿入して閉塞状態保持具１をピンセット21の所定位置で止めると、挟持部21ａ，21ｂで被挟持物50（部品同士）を挟持した状態が保持される。
【００１５】
尚、閉塞状態保持具１をピンセット21にスライド被嵌することで挟持部21ａ，21ｂを閉塞させて被挟持物50を挟持しても良い。
【００１６】
従って、ピンセット21を閉塞状態保持具１に挿入するだけで、ピンセット21の閉塞状態を簡易且つ確実に保持することができる。
【実施例】
【００１７】
本考案の具体的な実施例について図面に基づいて説明する。
【００１８】
本実施例は、対向する一対の挟持部21ａ，21ｂが開閉自在に設けられたピンセット21の閉塞状態を保持する閉塞状態保持具１である。
【００１９】
尚、本実施例におけるピンセット21の閉塞状態とは、必ずしも挟持部21ａ，21ｂ同士が当接せず隙間が生じている場合であってもそのピンセット21としての閉塞機能が発揮されている状態（被挟持物50を挟持した状態）であれば閉塞状態と言う。
【００２０】
具体的には、閉塞状態保持具１は、図１〜４に図示したように適宜な合成樹脂製の部材を一体成形した直方体状（板状体）であり、この閉塞状態保持具１の板面方向の前後端面に開口する貫通孔２が設けられており、この貫通孔２はピンセット21の端部を挿入する挿入孔部２として構成されている。
【００２１】
また、この挿入孔部２の対向内面にして挟持部21ａ，21ｂ夫々の外面に当接する当接面２ａ，２ｂ同士の対向間隔Ｌは、挟持部21ａ，21ｂの閉塞状態を保持し得る間隔に設定されている。
【００２２】
言い換えれば、当接面２ａ，２ｂ同士の対向間隔Ｌは、一対の挟持部21ａ，21ｂ夫々の厚さと被挟持物の厚さの合計厚さに近似する間隔に設定されている。
【００２３】
また、閉塞状態保持具１の外面（左右側面）には指掛け凹部３が設けられている。
【００２４】
従って、ピンセット21との間に摩擦抵抗を生じて動きが鈍くなる閉塞状態保持具１を良好にスライドさせることができる。
【００２５】
以上の構成から成る本実施例に係る閉塞状態保持具１の使用について説明する。
【００２６】
例えばプラスチックモデルの製作時において、被挟持物50（一対の部品50ａ，50ｂ同士）を接着する際など、ピンセット21で挟持した状態を保持したい場合、被挟持物50（一対の部品50ａ，50ｂ同士）をピンセット21の挟持部21ａ，21ｂで挟持し、この状態でピンセット21の基端部を挿入孔部２へ挿入して閉塞状態保持具１をピンセット21の所定位置で止めると、挟持部21ａ，21ｂで被挟持物50（一対の部品50ａ，50ｂ同士）を挟持した状態が保持される。
【００２７】
尚、閉塞状態保持具１をピンセット21にスライド被嵌することで挟持部21ａ，21ｂを閉塞させて被挟持物50を挟持するようにしても良い。
【００２８】
よって、本実施例によれば、ピンセット21を閉塞状態保持具１に挿入するだけで、ピンセット21の閉塞状態を簡易且つ確実に保持することができる。
【００２９】
また、本実施例は、閉塞状態保持具１の外面には指掛け凹部３が設けられているから、閉塞状態保持具１の良好なスライドが可能となる。
【００３０】
また、本実施例は、閉塞状態保持具１は直方体状であり、前後端面に貫通孔で構成された挿入孔部２が設けられているから、シンプルな構造故に量産性に秀れ且つコスト安となる。
【００３１】
また、本実施例は、閉塞状態保持具１は適宜な合成樹脂製の部材を一体成形したものであるから、この点においても量産性に秀れ且つコスト安となる。
【００３２】
尚、本考案は、本実施例に限られるものではなく、各構成要件の具体的構成は適宜設計し得るものである。
【符号の説明】
【００３３】
Ｌ  対向間隔
１  閉塞状態保持具
２  挿入孔部
２ａ  当接面
２ｂ  当接面
３  指掛け凹部
21  ピンセット
21ａ  挟持部
21ｂ  挟持部
50  被挟持物
【図１】
0003207930.tif 000003
【図２】
0003207930.tif 000004
【図３】
0003207930.tif 000005
【図４】
0003207930.tif 000006
【図５】
0003207930.tif 000007
【図６】
0003207930.tif 000008